(57)【要約】【課題】製造コストの低減を図る。【解決手段】フィルタ素子内蔵コネクタＡは、ケース１０と、挿通孔５２を有する磁性体コア５０からなるインダクタと、両端が端子部４２となっていて挿通孔５２に挿通されたバスバー４０（導電路）と、ケース１０に取り付けられたアースブラケット３０と、アースブラケット３０とバスバー４０との間に導通可能に挟まれたコンデンサ６０（フィルタ機能部品）とを備えている。【選択図】図２
2017041400.tif 000002
【特許請求の範囲】
【請求項１】
ケースと、
挿通孔を有する磁性体コアからなるインダクタと、
両端が端子部となっていて前記挿通孔に挿通された導電路と、
ケースに取り付けられたアースブラケットと、
前記アースブラケットと前記導電路との間に導通可能に挟まれたフィルタ機能部品とを備えていることを特徴とするフィルタ素子内蔵コネクタ。
【請求項２】
前記磁性体コアが、半割部材を合体させて構成されていることを特徴とする請求項１記載のフィルタ素子内蔵コネクタ。
【請求項３】
前記導電路が、金属板材からなるバスバーであることを特徴とする請求項１又は請求項２記載のフィルタ素子内蔵コネクタ。
【請求項４】
前記導電路と前記アースブラケットのうち少なくとも一方には、前記フィルタ機能部品を弾性的に押圧する弾性押圧部が形成されていることを特徴とする請求項１ないし請求項３のいずれか１項に記載のフィルタ素子内蔵コネクタ。
【請求項５】
前記ケースと前記導電路と前記アースブラケットのうち少なくともいずれか１つには、前記フィルタ機能部品を位置決めする位置決め部が形成されていることを特徴とする請求項１ないし請求項４のいずれか１項に記載のフィルタ素子内蔵コネクタ。
【発明の詳細な説明】
【技術分野】
【０００１】
本発明は、フィルタ素子内蔵コネクタに関するものである。
【背景技術】
【０００２】
特許文献１には、コイル状のインダクタと２つのコンデンサとからなるπ型のＬＣフィルタを備えたフィルタ素子内蔵コネクタが開示されている。インダクタはケース内に収容され、インダクタの両端には入力端子と出力端子が接続されている。コンデンサから導出された２本のリード線は、端子と、ケースに取り付けたアースブラケットとに接続されている。
【先行技術文献】
【特許文献】
【０００３】
【特許文献１】特開２００９−２９０３７７号公報
【発明の概要】
【発明が解決しようとする課題】
【０００４】
上記のフィルタ素子内蔵コネクタは、インダクタと端子を半田付けによって接続している。また、コンデンサのリード線も、半田付けによって端子とアースブラケットに接続している。そのため、製造工数が多く、製造コストが高いという問題がある。
【０００５】
本発明は上記のような事情に基づいて完成されたものであって、製造コストの低減を図ることを目的とする。
【課題を解決するための手段】
【０００６】
本発明のフィルタ素子内蔵コネクタは、
ケースと、
挿通孔を有する磁性体コアからなるインダクタと、
両端が端子部となっていて前記挿通孔に挿通された導電路と、
ケースに取り付けられたアースブラケットと、
前記アースブラケットと前記導電路との間に導通可能に挟まれたフィルタ機能部品とを備えているところに特徴を有する。
【発明の効果】
【０００７】
インダクタは磁性体コアからなるので、半田付けが不要である。フィルタ機能部品は、アースブラケットと導電路との間で導通可能に挟まれるようになっているので、接続手段としての半田付けが不要である。したがって、本発明によれば、製造コストを低減できる。
【図面の簡単な説明】
【０００８】
【図１】実施例１のフィルタ素子内蔵コネクタにおいてアッパケースを外した状態をあらわす平面図
【図２】図１のＸ−Ｘ線断面図
【発明を実施するための形態】
【０００９】
本発明のフィルタ素子内蔵コネクタは、前記磁性体コアが、半割部材を合体させて構成されていてもよい。
この構成によれば、挿通孔に導電路を挿通させる作業が容易である。
【００１０】
本発明のフィルタ素子内蔵コネクタは、前記導電路が、金属板材からなるバスバーであってもよい。
この構成によれば、導電路を他部材で形状保持しなくても、導電路とアースブラケットとの間でフィルタ機能部品を導通可能に挟むことができる。
【００１１】
本発明のフィルタ素子内蔵コネクタは、前記導電路と前記アースブラケットのうち少なくとも一方には、前記フィルタ機能部品を弾性的に押圧する弾性押圧部が設けられていてもよい。
この構成によれば、導電路とフィルタ機能部品とアースブラケットを確実に接触させることができる。
【００１２】
本発明のフィルタ素子内蔵コネクタは、前記ケースと前記導電路と前記アースブラケットのうち少なくともいずれか１つには、前記フィルタ機能部品を位置決めする位置決め部が形成されていもよい。
この構成によれば、導電路とフィルタ機能部品とアースブラケットを確実に接続することができる。
【００１３】
＜実施例１＞
以下、本発明を具体化した実施例１を図１〜図２を参照して説明する。本実施例１において、前後の方向については、図１における上方を、前方と定義する。左右の方向については、図１，２にあらわれる向きを、そのまま左方、右方と定義する。上下の方向については、図２にあらわれる向きを、そのまま上方、下方と定義する。
【００１４】
本実施例１のフィルタ素子内蔵コネクタＡは、合成樹脂製のケース１０と、金属製のアースブラケット３０と、バスバー４０（請求項に記載の導電路）と、磁性体コア５０（請求項に記載のインダクタ）と、２つのコンデンサ６０（請求項に記載のフィルタ機能部品）とを備えて構成されている。磁性体コア５０とコンデンサ６０は、フィルタ素子として機能するものである。
【００１５】
＜ケース１０＞
ケース１０は、ロアケース１１と、アッパケース１２とを上下に合体アッパケース１２て構成されている。合体したロアケース１１とアッパケース１２は、図示しない周知の係止手段により、合体状態に保持されれる。合体した状態のケース１０は、内部が収容空間１４となっているケース本体部１３と、ケース本体部１３の左右両側壁部１５から左右両方向へ突出した形態の左右一対の筒状嵌合部１６とを備えている。嵌合凹部には、ワイヤーハーネスのコネクタ（図示省略）が嵌合されるようになっている。
【００１６】
ロアケース１１の底壁部１７は、筒状嵌合部１６を構成する下面壁よりも一段高い位置に形成されている。底壁部１７の左右両端部には、平面視が略方形をなす左右２つの位置決め孔１８（請求項に記載の位置決め部）が上下に貫通して形成されている。位置決め孔１８は、コンデンサ６０を左右方向に位置決めする機能を有する。ロアケース１１のうち左右両側壁部１５を構成する一対の下部隔壁部１９の上端面には、夫々、保持凹部２０が形成されている。保持凹部２０は、バスバー４０を前後方向に位置決めする機能を有する。ロアケース１１とアッパケース１２を合体した状態では、保持凹部２０の上面の開口が、アッパケース１２側の側壁部１５を構成する上部隔壁部２１で塞がれる。上部隔壁部２１は、バスバー４０のうち保持凹部２０に嵌入している部分を上から押圧し、バスバー４０が上方へ変位することを規制する。
【００１７】
収容空間１４内の左右方向中央部（左右両位置決め孔１８の間の領域）には、磁性体コア５０を取り付けるためのコア保持部２２が形成されている。コア保持部２２は、軸線を左右方向に向けた円形の周面部２３と、周面部２３の左右両側縁部から径方向内側へ同心状に突出した一対の円形のリブ２４とから構成されている。このコア保持部２２の下半分領域はロアケース１１に形成され、コア保持部２２の上半分領域はアッパケース１２に形成されている。したがって、ロックアームケース１０とアッパケース１２を合体することによってコア保持部２２が構成される。
【００１８】
＜アースブラケット３０＞
アースブラケット３０は、金属材料からなり、平面視略方形をなす板状のブラケット本体部３１と、ブラケット本体部３１の前端縁における左右方向中央部から前方へ延出した形態の板状の取付部３２とから構成されている。ブラケット本体部３１は、ケース１０の底壁部１７に対し、その下面に重ねられた状態でビス止め等の固定手段（図示省略）によって固定されている。
【００１９】
ブラケット本体部３１の左右両端部には、夫々、前後一対の位置決め突起３３（請求項に記載の位置決め部）が切り起こしによって形成されている。対をなす位置決め突起３３は、その板面を互いに平行に向けて対向するように位置している。各対の位置決め突起３３は、夫々、ケース１０の位置決め孔１８を貫通してケース１０の収容空間１４内に突出している。
【００２０】
取付部３２は、ブラケット本体部３１よりも一段低くなっており、ブラケット本体部３１を底壁部１７に固定した状態では、取付部３２の下面が筒状嵌合部１６の下面とほぼ同じ高さとなっている。したがって、ケース１０とアースブラケット３０を一体化したフィルタ素子内蔵コネクタＡを、車両ボディ等の平坦な接地面（図示省略）に当接（載置）すると、筒状嵌合部１６の下面と取付部３２の下面が接地面に安定して位置決めされる。また、取付部３２には、アースブラケット３０を接地面にボルト（図示省略）によって導通可能に取り付けるための取付孔３４が形成されている。
【００２１】
＜バスバー４０＞
バスバー４０は、バスバー本体４１と、左右一対の弾性押圧部４９とから構成されている。バスバー本体４１は、左右方向に細長い１本の金属板材に曲げ加工を施したものである。バスバー本体４１の左右両端部は、左右方向に細長く、ワイヤーハーネスに接続される端子部４２となっている。一方の端子部４２は入力端子として機能し、他方の端子部４２は出力端子として機能する。バスバー本体４１の左右方向（長さ方向）中央部は、板面を水平に向け且つ左右方向に細長い挿通部４３となっている。
【００２２】
バスバー本体４１のうち２つの端子部４２と挿通部４３との間の領域には、左右一対の位置決め凹部４４（請求項に記載の位置決め部）が形成されている。前後方向及び左右方向において、位置決め凹部４４は、位置決め孔１８及び位置決め突起３３と対応するように位置する。各位置決め凹部４４は、夫々、板厚方向を左右方向に向けて対外に対向する左右一対の位置決め板部４５と、両位置決め板部４５の上端縁同士を連結する支持板部４６とから構成されている。一方の位置決め板部４５は、略Ｌ字形に屈曲した屈曲部４８を介して挿通部４３に連なり、他方の位置決め板部４５は、端子部４２の基端部に連なっている。他方の位置決め板部４５の端部は、端子部４２に対して段差状に幅広となっており、この段差状の幅広部分は段差状当接部４７となっている。
【００２３】
弾性押圧部４９は、バスバー本体４１とは別体であって、バスバー本体４１よりも板厚の薄い金属板材からなる。弾性押圧部４９は、バスバー本体４１が高い剛性を有しているのに対し、弾性押圧部４９は弾性を有している。弾性押圧部４９の基端部は、支持板部４６の下面に、導通可能に固着されている。そして、弾性押圧部４９は、一対の位置決め一部の間に位置して、上下方向に弾性撓みし得るようになっている。
【００２４】
上記構成になるバスバー４０は、左右両端子部４２の基端部を保持凹部２０に嵌合するとともに、段差状当接部４７を下部隔壁部１９の内面に当接することにより、前後方向及び左右方向においてロアケース１１に位置決めされる。また、端子部４２の基端部が上部隔壁部２１の下面で上から押圧されることにより、バスバー４０は、ケース１０に対し上下方向に位置決めされる。
【００２５】
＜磁性体コア５０＞
磁性体コア５０は、フェライト等の磁性材料からなり、半円筒形をなす上下対称な一対の半割部材５１を合体させて構成されている。磁性体コア５０の中心孔は、軸線を左右方向に向けて同心円形に貫通した形態の挿通孔５２となっている。磁性体コア５０は、コア保持部２２に嵌合することにより、ケース１０内に収容されている。コア保持部２２に嵌合した磁性体コア５０は、その外周面を周面部２３に当接させることにより、ケース１０に対し径方向（上下及び前後方向）に位置決めされる。また、磁性体コア５０は、その左右両端面における外周縁部をリブ２４に当接させることにより、ケース１０に対し左右方向に位置決めされている。
【００２６】
＜コンデンサ６０＞
コンデンサ６０は、全体としてブロック状をなすリードレスタイプのフィルタ素子である。コンデンサ６０には、細長く導出するリード線が設けられておらず、コンデンサ６０の上下両端面が電極６１となっている。コンデンサ６０は、その下端部を底壁部１７の位置決め孔１８内に収容するとともに、上端部を位置決め凹部４４内に収容した状態で、ケース１０に取り付けられている。コンデンサ６０が取り付けられた状態では、コンデンサ６０の下面側の電極６１が、ブラケット本体の上面のうち対をなす位置決め突起３３で挟まれた領域に対し、導通可能に載置（接続）される。一方、コンデンサ６０の上面側の電極６１には、弾性押圧部４９が弾性撓みした状態で導通可能に当接する。
【００２７】
また、コンデンサ６０の下端部は、前後一対の位置決め突起３３で挟まれることにより、ケース１０及びアースブラケット３０に対して前後方向に位置決めされている。同じくコンデンサ６０の下端部は、位置決め孔１８の左右両側縁部で挟まれることにより、ケース１０に対して左右方向に位置決めされている。さらに、コンデンサ６０の上端部は、位置決め凹部４４の左右両位置決め板部４５で挟まれることにより、バスバー４０に対し左右方向に位置決めされる。
【００２８】
＜実施例１の作用及び効果＞
本実施例のフィルタ素子内蔵コネクタＡを組み付ける際には、まず、アッパケース１２をロアケース１１に合体する前に、アースブラケット３０をロックアームケース１０の下面に固定する。次に、コア保持部２２のうちロアケース１１側の下半分領域に下側の半割部材５１を載置して位置決めするとともに、コンデンサ６０の下端部を位置決め孔１８に収容してブラケット本体に載置する。載置されたコンデンサ６０は、前後一対の位置決め突起３３と位置決め孔１８の左右両側縁とによって、水平方向（前後方向及び左右方向）に位置決めされる。
【００２９】
この後、バスバー４０をロアケース１１にセットする。このとき、端子部４２の基端部を保持凹部２０に嵌合すとるとともに、段差状当接部４７を下部隔壁部１９に当接させる。このとき、弾性押圧部４９が、弾性変形した状態でコンデンサ６０の上面側の電極６１に当接するので、バスバー４０が浮き上がらないように抑えておく必要がある。バスバー４０を抑える手段としては、保持凹部２０に形成した係止爪（図示省略）に端子部４２の基端部を係止させる方法がある。
【００３０】
この後、上側の半割部材５１を下側の半割部材５１に重ね合わせて磁性体コア５０を構成するとともに、アッパケース１２をロックアームケース１０に重ね合わせて固定する。これにより、磁性体コア５０は、ケース１０に対して位置決めされ、挿通孔５２にはバスバー４０の挿通部４３が貫通する。また、端子部４２の基端部が上部隔壁部２１と下部隔壁部１９との間で挟み付けられ、バスバー４０が、ケース１０に対し上下方向に位置決め固定される。
【００３１】
本実施例１のフィルタ素子内蔵コネクタＡは、ケース１０と、挿通孔５２を有する磁性体コア５０からなるインダクタと、両端が端子部４２となっていて挿通孔５２に挿通されたバスバー４０と、ケース１０に取り付けられたアースブラケット３０と、アースブラケット３０とバスバー４０との間に導通可能に挟まれたコンデンサ６０とを備えている。このフィルタ素子内蔵コネクタＡは、インダクタが磁性体コア５０からなるので、バスバー４０との接続に半田付けが不要である。また、コンデンサ６０は、アースブラケット３０とバスバー４０との間で導通可能に挟まれるようになっているので、アースブラケット３０への接続手段としての半田付けが不要である。したがって、本実施例のフィルタ素子内蔵コネクタＡによれば、製造コストを低減できる。
【００３２】
また、磁性体コア５０は、一対の半割部材５１を合体させて構成されているので、挿通孔５２にバスバー４０を挿通させる作業が容易である。また、導電路として、金属板材からなる合成の高いバスバー４０を用いている。したがって、バスバー４０を他部材で形状保持しなくても、バスバー４０とアースブラケット３０との間でコンデンサ６０を導通可能に挟むことができる。
【００３３】
また、バスバー４０には、コンデンサ６０の電極６１を弾性的に押圧する弾性押圧部４９が設けられているので、バスバー４０とコンデンサ６０とアースブラケット３０を確実に導通可能に接続することができる。また、ケース１０とバスバー４０とアースブラケット３０には、夫々、コンデンサ６０を位置決めする手段として、位置決め孔１８と位置決め凹部４４と位置決め突起３３が形成されているので、バスバー４０とコンデンサ６０とアースブラケット３０を確実に接続することができる。
【００３４】
＜他の実施例＞
本発明は上記記述及び図面によって説明した実施例に限定されるものではなく、例えば次のような実施例も本発明の技術的範囲に含まれる。
（１）上記実施例では、フィルタ機能部品をリードレスタイプのコンデンサとしたが、フィルタ機能部品は、抵抗部品やコイル等であってもよい。
（２）上記実施例では、導電路を剛性の高いバスバーとしたが、導電路は、電線等のような可撓性を有するものであってもよい。この場合、導電路を他部材によって形状保持すれば、導電路とアースブラケットとの間でフィルタ機能部品を導通可能に挟み付けることができる。
（３）上記実施例では、磁性体コアに形成されている挿通孔が１つだけであるが、磁性体コアには複数の挿通孔が形成され、複数の挿通孔に個別に導電路を挿通させてもよい。
（４）上記実施例では、磁性体コアを一対の半割部材を合体させて構成したが、磁性体コアは、単一部品であってもよく、３つ以上のコア構成体を合体して構成してもよい。
（５）上記実施例では、弾性押圧部をバスバーのみに設けたが、弾性押圧部は、バスバーとアースブラケットの両方に形成してもよく、アースブラケットのみに形成してもよい。
（６）上記実施例では、位置決め部をケースとバスバーとアースブラケットの全てに形成したが、位置決め部は、ケースのみに形成してもよく、バスバーのみに形成してもよく、アースブラケットのみに形成してもよく、ケースとバスバーのみに形成してもよく、ケースとアースブラケットのみに形成してもよく、バスバーとアースブラケットのみに形成してもよい。
（７）上記実施例では、導電路とアースブラケットとの間に設けた２つのフィルタ機能部品を、同一種類の部品（コンデンサ）としたが、２つのフィルタ機能部品は、互いに異なる種類の組合せ（例えば、コンデンサと抵抗部品、コンデンサとコイル、抵抗部品とコイル等）であってもよい。
（８）上記実施例では、導電路とアースブラケットとの間に２つのフィルタ機能部品を設けたが、導電路とアースブラケットとの間に設けるフィルタ機能部品の数は、１つだけでもよく、３つ以上でもよい。また、フィルタ機能部品を３つ以上設ける場合、フィルタ機能部品の種類は、全て同一種類の部品でもよく、複数種類の部品の組合せであってもよい。
【符号の説明】
【００３５】
Ａ…フィルタ素子内蔵コネクタ
１０…ケース
１８…位置決め孔（位置決め部）
３０…アースブラケット
３３…位置決め突起（位置決め部）
４０…バスバー（導電路）
４２…端子部
４４…位置決め凹部（位置決め部）
４９…弾性押圧部
５０…磁性体コア（インダクタ）
５１…半割部材
５２…挿通孔
６０…コンデンサ（フィルタ機能部品）
【図１】
2017041400.tif 000003
【図２】
2017041400.tif 000004